(57)【要約】 【課題】斜行補正後のシートが再度斜行することを防止し、シートの中央部に斜行のないスジ目又は折り目を形成して成果物の品位を向上させることができるシート処理装置を提供する。【解決手段】シート処理装置１００は、複写機本体２００によって画像が形成された後のシートＳを搬送する搬送パス１０３と、搬送パス１０３に設けられ、シートＳの搬送方向に沿った長さの所定の位置にスジ目を付けるスジ付け部６００と、シートＳの斜行を補正する際に適用され、スジ付け部６００の下流側に、シートＳの搬送方向に沿って間隔を隔てて配置された第１のレジストローラ対１０５及び第２のレジストローラ対１０６と、これら２つのローラ対とスジ付け部６００を制御するＣＰＵ１５１を有し、ＣＰＵ１５１は、スジ付け部６００によってシートＳにスジ付けを行う際、シートＳの搬送方向の長さに応じて第１及び第２のローラ対のどちらを適用するか制御する。【選択図】図４Ａ
2015143145.tif 000002
【特許請求の範囲】
【請求項１】
画像形成後のシートを搬送する搬送路と、
前記搬送路に設けられ、前記シートの搬送方向に沿った所定の位置にスジ付け処理を施すスジ付け手段と、
前記シートの斜行を補正するために前記シートの先端が当接し、前記スジ付け手段の下流側に、前記シートの搬送方向に沿って上流側から下流側に向かって所定間隔隔てて配置された第１のローラ対及び第２のローラ対と、
前記スジ付け手段によって前記シートにスジ付け処理を施す場合に、前記シートの搬送方向の長さに応じて斜行補正のために前記シートの先端を前記第１及び第２のローラ対のどちらに当接させるかを制御する制御手段と、を有すること、
を特徴とするシート処理装置。
【請求項２】
前記制御手段は、前記シートの搬送方向に沿った長さが所定の長さ以下の場合、前記第１のローラ対を前記シートの斜行を補正する際の前記シートの先端を当接させるローラ対として適用し、前記シートの搬送方向に沿った長さが所定の長さよりも長い場合、前記第２のローラ対を前記シートの斜行を補正する際の前記シートの先端を当接させるローラ対として適用することを特徴とする請求項１記載のシート処理装置。
【請求項３】
前記制御手段は、前記シートの斜行補正のために適用するローラ対を停止させた状態で前記シートの先端を当接させることを特徴とする請求項１又は２記載のシート処理装置。
【請求項４】
前記制御手段は、前記第２のローラ対を前記シートの斜行補正のためのローラ対として適用する場合、前記第１のローラ対を駆動させ、前記第２のローラ対を停止させた状態で、前記シートの先端を前記第２のローラ対に当接させることを特徴とする請求項３記載のシート処理装置。
【請求項５】
前記制御手段は、
前記シートの搬送方向の長さが前記所定の長さ以下の場合、前記シートの先端を、駆動停止状態の前記第１のローラ対に当接させた後、前記第１のローラ対の駆動を開始して前記シートの斜行を補正し、斜行補正後、前記スジ付け手段によって前記シートにスジ目を形成し、
前記シートの搬送方向の長さが前記所定の長さよりも長い場合、前記シートの先端を、駆動停止状態の前記第２のローラ対に当接させた後、前記第２のローラ対の駆動を開始して前記シートの斜行を補正し、斜行補正後、前記スジ付け手段によって前記シートにスジ目を形成するように制御する
ことを特徴とする請求項２乃至４のいずれか１項に記載のシート処理装置。
【請求項６】
前記搬送路を通過するシートを検知する検知手段を有し、
前記制御手段は、前記検知手段の検知結果を使用して前記シートの搬送方向に沿った長さを求め、該搬送方向の長さに基づいて斜行補正のために前記シートの先端を前記第１及び第２のローラ対のどちらに当接させるかを制御することを特徴とする請求項１乃至５のいずれか１項に記載のシート処理装置。
【請求項７】
前記シートのサイズ情報を取得する取得手段を有し、
前記取得手段は、ユーザによって設定されたシートサイズ情報を取得し、
前記制御手段は、前記取得手段が取得したサイズ情報を使用して斜行補正のために前記シートの先端を前記第１及び第２のローラ対のどちらに当接させるかを制御することを特徴とする請求項１乃至５のいずれか１項に記載のシート処理装置。
【請求項８】
前記シートのサイズ情報を取得する取得手段を有し、
前記取得手段は、外部装置から受信した情報からシートサイズ情報を取得し、
前記制御手段は、前記取得手段が取得したサイズ情報を使用して斜行補正のために前記シートの先端を前記第１及び第２のローラ対のどちらに当接させるかを制御することを特徴とする請求項１乃至５のいずれか１項に記載のシート処理装置。
【請求項９】
前記スジ付け手段は、前記シートの搬送方向に沿った長さの中央部に前記スジ付け処理を施すことを特徴とする請求項１乃至８のいずれか１項に記載のシート処理装置。
【請求項１０】
前記第１のローラ対は、当該第１のローラ対を離間させる離間機構を備えていることを特徴とする請求項１乃至９のいずれか１項に記載のシート処理装置。
【請求項１１】
前記搬送路の前記スジ付け手段の上流側に前記シートを搬送する搬送ローラが配置されており、
前記搬送ローラと前記第１のローラ対との間隔は、前記シートの搬送方向に沿った長さが前記所定の長さ以下の場合における前記シートの搬送方向の長さよりも短く設定され、
前記搬送ローラと前記第２のローラ対との間隔は、前記シートの搬送方向に沿った長さが前記所定の長さより長い場合における前記シートの搬送方向の長さよりも短く設定されていることを特徴とする請求項２乃至１０のいずれか１項に記載のシート処理装置。
【請求項１２】
シート処理装置を備えた画像形成装置であって、前記シート処理装置は、請求項１乃至１１のいずれか１項に記載のシート処理装置であることを特徴とする画像形成装置。
【発明の詳細な説明】
【技術分野】
【０００１】
本発明は、シートにスジ目又は折り目を付けるスジ付け手段を備えたシート処理装置及びシート処理装置を有する画像形成装置に関する。
【背景技術】
【０００２】
複写機やプリンタなどの画像形成装置には、従来から画像形成後のシートに対して、ステイプラでシートの中綴じを行う中綴じ処理、シート束の中央部分にスジ目や折り目を付けるスジ付け処理などを行うシート処理装置（フィニッシャ）が付設されている。シート束の中央部分にスジ目や折り目を付けて束折りした際の見栄えを向上させる技術として、画像形成後のシート1枚ごとにスジ付けを行ってシート束を作成する技術が知られている（特許文献１参照）。特許文献１に記載された技術は、画像形成装置から搬出された画像形成後のシートに対し、１枚ずつスジ付け手段によってスジ目又は折り目を付け、シート束を開いた状態で処理トレイに積み重ねるものである。また、必要に応じて積み重ねたシート束を折り目部分でステイプラによって綴じ、排出トレイに排出することもできる。そして、開いた状態で排出されるシート束又はステイプラによって綴じられた状態で排出されるシート束は、折り目が付いているので容易に二つ折りにすることができるという特長を有している。
【先行技術文献】
【特許文献】
【０００３】
【特許文献１】特開２００５−２９８１８５号公報
【発明の概要】
【発明が解決しようとする課題】
【０００４】
しかしながら、上記従来技術では、最終的な成果物であるシート束の品位を向上させるために、スジ付け処理前に予めシートの斜行補正が行われるが、斜行補正後のシートを、その中央部をスジ付け部のスジ付け用突起部に位置合わせするまで搬送する必要がある。そして、斜行補正を行った時点からシートの中央部をスジ付け用突起部に位置合わせするまでに搬送する搬送距離は、シートの搬送方向に沿った長さによって異なってくる。
【０００５】
具体的には、Ａ４ＲサイズのシートとＡ３Ｒサイズのシートを比較すると、Ａ３Ｒサイズのシート方がＡ４Ｒサイズのシートよりも搬送方向のシート長さは長くなる。従って、Ａ３ＲサイズのシートではＡ４Ｒサイズのシートに比べて斜行補正を行った後、当該シートの中央部をスジ付け用突起部に位置合わせするまでに搬送する搬送距離が長くなる。すなわち、搬送方向に沿った長さが長いシートの方が短いシートに比べて、斜行補正後の位置合わせのための搬送距離が長くなるので、新たな斜行が発生し易く、依然としてシートに対して斜行したスジ付けが行われる虞がある。従って、最終的な成果物であるシート束の品位が低下するという課題は、解消されていない。
【０００６】
本発明は、斜行補正後のシートが再度斜行することを防止し、シートの搬送方向に沿った所定の位置に斜行のないスジ目又は折り目を付けることによって成果物の品位を向上させることができるシート処理装置及び該シート処理装置を有する画像形成装置を提供することを目的とする。
【課題を解決するための手段】
【０００７】
上記課題を解決するために、本願の請求項１記載のシート処理装置は、画像形成後のシートを搬送する搬送路と、前記搬送路に設けられ、前記シートの搬送方向に沿った所定の位置にスジ付け処理を施すスジ付け手段と、前記シートの斜行を補正するために前記シートの先端が当接し、前記スジ付け手段の下流側に、前記シートの搬送方向に沿って上流側から下流側に向かって所定間隔隔てて配置された第１のローラ対及び第２のローラ対と、前記スジ付け手段によって前記シートにスジ付け処理を施す場合に、前記シートの搬送方向の長さに応じて斜行補正のために前記シートの先端を前記第１及び第２のローラ対のどちらに当接させるかを制御する制御手段と、を有すること、を特徴とする。
【発明の効果】
【０００８】
本発明によれば、シートの搬送方向の長さに応じて斜行補正のためにシートの先端を第１及び第２のローラ対のどちらに当接させるかを制御する。これによって、最適ローラ対を用いて、斜行補正後スジ付け部との位置合わせに必要な搬送距離を短くすることができるので再度の斜行を防止してシートの所定位置に斜行のないスジ目又は折り目を付けることができ、もって成果物の品位を向上させることができる。
【図面の簡単な説明】
【０００９】
【図１】実施の形態に係るシート処理装置を備えた画像形成装置の概略構成を示す断面図である。
【図２】図１の画像形成装置におけるシート処理装置の拡大断面図である。
【図３】図１の画像形成装置の制御構成を示すブロック図である。
【図４Ａ】図１の画像形成装置におけるシート処理装置を用いたシートへのスジ付け処理の手順を示すフローチャートである。
【図４Ｂ】図１の画像形成装置におけるシート処理装置を用いたシートへのスジ付け処理の手順を示すフローチャートである。
【図５】シート長さが短いシートにスジ付けを行うスジ付け処理工程を示す図である。
【図６】図５におけるスジ付け部の作用を説明するための図である。
【図７】シート長さが長いシートにスジ付けを行うスジ付け処理工程を示す図である。
【図８】シートサイズと、斜行補正に用いられるレジストローラ対との関係を示す図である。
【発明を実施するための形態】
【００１０】
以下、実施の形態について図面を参照しつつ詳細に説明する。
【００１１】
図１は、実施の形態に係るシート処理装置を備えた画像形成装置の概略構成を示す断面図である。
【００１２】
図１において、画像形成装置５００は、主に白黒／カラー複写機本体（以下、「複写機本体」という。）２００と、複写機本体２００に付設されたシート処理装置１００及びＬＡＮケーブルによって接続されたホストコンピュータ３００とで構成されている。なお、複写機本体２００と外部装置としてのホストコンピュータ３００との接続手段としてＬＡＮケーブルを適用しているが、これ以外のものであってもよい。
【００１３】
複写機本体２００は、自動原稿給送装置４００、操作部２０５、画像形成部としてのイエロー、マゼンタ、シアン、ブラックの画像形成ユニット２１４ａ〜２１４ｄ、定着器２２４、及びシートＳを収納するカセット２０９ａ〜２０９ｄを備える。また、複写機本体２００は、画像形成装置５００全体の制御を行う制御装置２５０を備える。
【００１４】
このような構成の複写機本体２００において、カセット２０９ａ〜２０９ｄから画像形成部にシートＳが給紙され、該シートＳに、画像形成ユニット２１４ａ〜２１４ｄによって形成された４色のトナー像が転写される。トナー像が転写されたシートＳは、定着器２２４に搬入されてトナー像が定着され、その後、複写機本体２００外に排出される。
【００１５】
図２は、図１の画像形成装置におけるシート処理装置の拡大断面図である。シート処理装置１００は、スジ付け部６００、中綴じ処理部（サドルユニット）１３５、及び図示省略したシート積載処理装置としての平綴じ処理部を備える。
【００１６】
図２において、シート処理装置１００には、複写機本体２００から排紙されたシートに種々の後処理を施して上トレイ１３６又は下トレイ１３７まで搬送する搬送路が設けられている。すなわち、シート処理装置１００には、複写機本体２００から受け取ったシートＳを、スジ付け部６００を経てバッファーローラ１１５まで搬送する搬送パス１０３が設けられている。また、バッファーローラ１１５まで搬送されたシートを、上トレイ１３６に搬送する上搬送パス１１７及び束ローラ対１２４まで搬送する束搬送パス１２１が設けられている。また、束ローラ対１２４まで搬送されたシートを、サドルユニット１３５まで搬送するサドルパス１３３及びステイプラ１３２を備えた処理トレイ１３８を経て下トレイ１３７まで搬送する下パス１２６が設けられている。
【００１７】
搬送パス１０３には、シートＳの搬送方向に沿ってパスセンサ１０１、搬送ローラ対１０２、搬送方向に直交する幅方向におけるシートの側端の位置を検出する側端検出センサユニット１０４、スジ付け部６００が設けられている。また、搬送パス１０３には、第１のレジストレーションローラ対（以下、「レジストローラ対」という。）１０５、第２のレジストローラ対１０６を備えたシフトユニット１０８が設けられている。第１のレジストローラ対１０５と、第２のレジストローラ対１０６は、搬送パス１０３の搬送方向に沿って上流側から下流側に向かって所定間隔隔てて配置されている。シフトユニット１０８の下流には、搬送ローラ１１０及び離間ローラ１１１、バッファーローラ１１５が設けられている。バッファーローラ１１５の下流には、フラッパー１１８が設けられており、ここで、搬送パス１０３は上搬送パス１１７と束搬送パス１２１に分岐する。上搬送パス１１７の出口には上排紙ローラ１２０が配置されており、シートＳは上排紙ローラ１２０を経て上トレイ１３６に排紙される。
【００１８】
束搬送パス１２１には、バッファーローラ対１２２、束ローラ対１２４及びフラッパー１２５が設けられており、該フラッパー１２５部分で、束搬送パス１２１はサドルパス１３３と下搬送パス１２６に分岐される。サドルパス１３３におけるサドルユニット１３５の入口部にサドル入口ローラ対１３４が設けられている。また、下搬送パス１２６における処理トレイ１３８の入口には下排紙ローラ対１２８が設けられている。処理トレイ１３８には、シートＳの戻し手段としてのパドル１３１、ステイプラ１３２及び束排紙ローラ１３０が設けられている。シート束は、束排紙ローラ１３０を経て下トレイ１３７に排出される。
【００１９】
シート処理装置１００は、複写機のオプションとして採用されることがあるために、複写機本体２００は、シート処理装置１００と関係なく、単独でも使用できるように構成されている。シート処理装置１００と複写機本体２００とは、それぞれ独立に構成されてもよく、また、一体に構成されても良いよい。
【００２０】
このような構成のシート処理装置１００において、複写機本体２００から排紙された画像形成後のシートＳはシート処理装置１００に搬入され、シート処理装置１００内で後処理が施される。
【００２１】
すなわち、複写機本体２００から排出されたシートＳは、シート処理装置１００の搬送ローラ対１０２に受け渡され、このとき、パスセンサ１０１によりシートＳの受渡しタイミングが検出される。また、搬送ローラ対１０２によって、搬送パス１０３内を搬送されるシートＳの側端部位置が側端検出センサユニット１０４によって検出される。これによって、搬送パス１０３の搬送幅のセンター（中央）位置に対してシートＳの幅方向の位置（横レジ）及び斜行が検出される。
【００２２】
横レジが検出された後、シートＳは、駆動停止状態の第１のレジストローラ対１０５又は第２のレジストローラ対１０６に先端部を当接して、撓んだ状態で一旦停止する。その後、第１のレジストローラ対１０５及び第２のレジストローラ対１０６の駆動を再開させ、レジストローラ対が駆動を再開するタイミングで搬送ローラ対１０２を離間させ、これによって、シートＳの斜行を補正する。その後、シートＳに対し、スジ付け部６００によって、スジ付け処理を施す。なお、斜行補正処理及びスジ付け処理については、後で詳細に説明する。
【００２３】
スジ付け処理が完了した後、第１及び第２のレジストローラ対１０５、１０６によってシートＳを挟持している状態で、必要に応じてシフトユニット１０８を図中、手前又は奥方向に所定量移動させることによってシートＳを幅方向に所定量シフトさせる。その後、シートＳを、搬送ローラ１１０及び離間ローラ１１１によってバッファーローラ対１１５まで搬送する。そして、シートＳを上トレイ１３６に排紙する場合は、上パス切り換えフラッパー１１８を図示省略したソレノイド等の駆動手段によって切り替えてシートＳを上搬送パス１１７に導く。そして、その後、上排紙ローラ１２０によってシートＳを上トレイ１３６に排紙する。
【００２４】
一方、シートＳを上トレイ１３６以外に排紙する場合は、バッファーローラ対１１５によって搬送されたシートＳを、上パス切り換えフラッパー１１８の切り換えによって束搬送パス１２１に導く。その後、バッファーローラ対１２２及び束搬送ローラ対１２４によってシートＳを順次搬送する。そして、シートＳをサドル（中綴じ）処理する場合には、図示省略したソレノイド等の駆動手段によりサドルパス切り換えフラッパー１２５を切り替えて、シートＳをサドルパス１３３に搬入する。そして、その後、サドル入口ローラ対１３４によってシートＳをサドルユニット１３５に導き、サドル処理（中綴じ処理）を施す。本実施の形態において、サドル処理は特別なものではなく、公知の一般的な処理である。従って、詳細な説明を省略する。
【００２５】
また、シートＳを処理トレイ１３８に搬送する場合は、束搬送ローラ対１２４によって搬送されるシートＳを、サドル切り換えフラッパー１２５の切り換えによって下パス１２６に搬入する。その後、下排紙ローラ対１２８によってシートＳを処理トレイ１３８に排紙し、シートＳに対し、パドル１３１及び図示省略したローレットベルト等の戻し手段によって処理トレイ１３８上でシートＳの所定枚数を整合させる整合処理を施す。次いで、必要に応じてステイプラ１３２により綴じ処理を施した後、束排紙ローラ対１３０によって下トレイ１３７に排紙する。
【００２６】
図３は、図１の画像形成装置の制御構成を示すブロック図である。
【００２７】
図３において、画像形成装置５００の複写機本体２００に設けられた制御装置２５０は、ＣＰＵ回路部２１５を備えており、該ＣＰＵ回路部２１５はシート処理装置１００内のシート処理装置制御部１５０に接続されている。ＣＰＵ回路部２１５には、ＣＰＵ２５１、記憶手段としてのＲＯＭ２０６、ＲＡＭ２０７が内蔵されている。ＣＰＵ回路部２１５では、ＣＰＵ２５１が、ＲＯＭ２０６に格納された制御プログラムを読み出して実行する。これにより、ＣＰＵ回路部２１５に接続された原稿給送装置制御部２０１、イメージリーダ制御部２０２、画像信号制御部２０３、プリンタ制御部２０４、操作部２０５、及びシート処理装置制御部１５０が総括的に制御される。ＲＡＭ２０７は、制御データを一時的に保持し、制御に伴う演算処理の作業領域としても用いられる。
【００２８】
原稿給送装置制御部２０１は、ＣＰＵ回路部２１５からの指示に基づいて自動原稿給送装置４００を駆動制御する。イメージリーダ制御部２０２は、図示省略した画像読取部の光源やレンズ系などに対する駆動制御を行うと共に、画像読取部から出力されたＲＧＢのアナログ画像信号を画像信号制御部２０３に転送する。画像信号制御部２０３は、ＲＧＢのアナログ画像信号をデジタル信号に変換した後に各処理を施し、このデジタル信号をビデオ信号に変換してプリンタ制御部２０４に出力する。画像信号制御部２０３による処理動作は、ＣＰＵ回路部２１５により制御される。プリンタ制御部２０４は、ＣＰＵ回路部２１５からの指示に基づいて、画像信号制御部２０３から入力したビデオ信号を印刷出力するために、各画像形成ユニット２１４ａ〜２１４ｄ、定着器２２４などを制御する。
【００２９】
操作部２０５は、画像形成に関する各種設定を行うための複数のキーや、その設定状態を示す情報を表示するための表示部などで構成されている。操作部２０５上でのキー操作に対応するキー信号は、計算部や入力部として機能するＣＰＵ回路部２１５に供給される。また、操作部２０５では、ＣＰＵ回路部２１５からの信号に基づく情報が表示部に表示される。
【００３０】
シート処理装置制御部１５０は、シート処理装置１００に搭載され、通信用ＩＣ（ＩＰＣ）を介してＣＰＵ回路部２１５と情報データの通信を行うことによって、シート処理装置１００全体を駆動制御する。シート処理装置制御部１５０は、ＣＰＵ１５１、ＲＯＭ１５２、及びＲＡＭ１５３を備えている。シート処理装置制御部１５０は、ＲＯＭ１５２に格納された制御プログラムに基づいて各種アクチュエータや各種センサを制御する。ＣＰＵ１５１は、パスセンサ１０１、横レジ検出センサユニット１０４、第１及び第２のレジストローラ１０５及び１０６を駆動するレジストモータ２０８及び２１０、スジ付けモータ６０４を制御する。ＲＡＭ１５３は、制御データを一時的に保持し、制御に伴う演算処理の作業領域としても用いられる。
【００３１】
次に、図１の画像形成装置５００におけるシート処理装置１００を用いたシートへのスジ付け処理について説明する。
【００３２】
図４Ａ及び図４Ｂは、図１の画像形成装置５００におけるシート処理装置１００を用いたシートへのスジ付け処理の手順を示すフローチャートである。このシートへのスジ付け処理は、画像形成装置５００の制御装置２５０に接続されたシート処理装置１００の制御部１５０に設けられたＣＰＵ１５１が、ＲＯＭ１５２に記憶されたシートへのスジ付け処理プログラムのスジ付け処理手順に従って実行する。
【００３３】
図４Ａ及び図４Ｂにおいて、シートＳへのスジ付け処理が開始されると、ＣＰＵ１５１は、まず、ユーザによってスジ付け処理されるべきシートＳのシートサイズの入力がなされているか否かを判別する（ステップＳ１０１）。ステップＳ１０１の判別の結果、ユーザによるシートサイズの入力がなされている（ステップＳ１０１で「ＹＥＳ」の）場合、ＣＰＵ１５１は、シート処理装置１００における給紙動作を開始させる(ステップＳ１０２)。このとき、搬送ローラ対１０２、第１のレジストローラ対１０５及び第２のレジストローラ対１０６が駆動し、上流側の複写機本体２００から排出された画像形成後のシートＳの搬送を開始する。
【００３４】
次いで、ＣＰＵ１５１は、シートＳが搬送パス１０３の入口に設けられたパスセンサ１０１を通過したことを検知（ステップＳ１０３）し、シートＳがパスセンサ１０１を通過してから所定時間Ｔαが経過したことを検知する（ステップＳ１０４）。ここで、所定時間Ｔαは、パスセンサ１０１によって、シートＳの先端部と後端部を検出して当該シートＳの搬送方向に沿った長さを検出するための時間であり、シートＳの搬送速度によって変動する。パスセンサ１０１の検知結果に基づいてスジ付け部６００、第１及び第２のレジストローラ対１０５、１０６等が制御される。
【００３５】
次いで、ＣＰＵ１５１は、ユーザによって設定されたシートサイズ情報及びパスセンサ１０１の検出結果に基づいてシートＳの搬送方向の長さが所定長さ（Ａｍｍ）以下であるか否かを判別する（ステップＳ１０５）。所定の長さＡｍｍは、例えば、Ａ４Ｒシートにおける搬送方向の長さである２９７ｍｍである。ステップＳ１０５の判別の結果、シートＳの搬送方向の長さが、例えば２９７ｍｍ以下(ステップＳ１０５で「ＹＥＳ」)の場合、ＣＰＵ１５１は、第１レジストローラ対１０５を斜行補正用のローラ対として用いる。すなわち、ＣＰＵ１５１は、第１のレジストローラ対１０５の駆動を停止させる（ステップＳ１０６）。
【００３６】
図５は、シート長さが短いシートにスジ付けを行うスジ付け処理工程を示す図である。このスジ付け処理は、搬送方向に沿ったシート長さが、例えばＡ４Ｒサイズ（２９７ｍｍ）以下のシートに適用されるものであり、この場合、シートＳとして、例えばＡ４Ｒサイズのシートが適用される。
【００３７】
図５において、シートＳの搬送パス１０３には、シートＳの搬送方向に沿って順次、パスセンサ１０１、搬送ローラ対１０２、スジ付け部６００、第１のレジストローラ対１０５及び第２のレジストローラ対１０６が配置されている。第１のレジストローラ対１０５には図示省略した離間機構が設けられており、搬送中のシートＳに対して当接又は離間動作が可能に構成されている。離間機構を動作させることによって、第１のレジストローラ対１０５とシートＳとの接触を回避できる。搬送ローラ対１０２と第１のレジストローラ対１０５の間隔は所定間隔に調整されており、搬送方向に沿ったシートＳの長さが、例えばＡ４Ｒサイズのシートの搬送方向の長さ（２９７ｍｍ）以下のシートでも搬送できるように調整されている。なお、シートＳの搬送速度は既知である。このため、パスセンサ１０１によってシートＳの先端部を検知してからの時間を計測することによってシートＳの搬送距離、搬送位置を算出することができる。
【００３８】
以下、図５(ａ)〜（ｄ）を参照しつつ図４Ａ及び図４Ｂのフローチャートの続きを説明する。
【００３９】
図４Ａ及び図４Ｂに戻り、シートＳの搬送中に、ＣＰＵ１５１が、第１のレジストローラ対１０５の駆動を停止すると（ステップＳ１０６）、シートＳの先端部は、駆動停止した第１のレジストローラ対１０５のニップ部に当接する。これによって、シートＳの先端側に撓みが生じ、先端辺が第１のレジストローラ対１０５の軸方向と平行になる（図５(ａ)）。次いで、ＣＰＵ１５１は、第１のレジストローラ対１０５の駆動を停止させてから所定時間Ｔ１経過するのを待つ（ステップＳ１０７）。所定時間Ｔ１は、第１のレジストローラ対１０５のニップ部に先端部を当接させたシートＳを撓ませるために必要な時間である。
【００４０】
所定時間Ｔ１が経過した後、ＣＰＵ１５１は、第１のレジストローラ対１０５の駆動を再開する（ステップＳ１０８）。これによって、シートＳの先端辺が第１のレジストローラ対１０５に挟持されて搬送されるので、第１のレジストローラ対１０５部分におけるシートＳの斜行が補正される（図５（ｂ））。
【００４１】
第１のレジストローラ対１０５の駆動を再開させた後、ＣＰＵ１５１は、第１レジストローラ対１０５の駆動を再開させてから所定時間Ｔ２が経過するのを待つ（ステップＳ１０９）。所定時間Ｔ２は、駆動を再開した第１のレジストローラ対１０５がシートＳの先端辺を挟持して第１のレジストローラ対１０５部分におけるシートＳの斜行を補正するために必要な時間である。次いで、ＣＰＵ１５１は、搬送ローラ対１０２を離間させて（ステップＳ１１０）、シートＳ全体の斜行補正を完了させる(図５（ｃ）)。
【００４２】
次いで、ＣＰＵ１５１は、搬送ローラ対１０２を離間させてから所定時間Ｔ３が経過するのを待つ（ステップＳ１１１）。所定時間Ｔ３は、搬送ローラ対１０２を離間させた後、シートＳ全体の斜行補正が完了するまでに必要な時間である。次いで、ＣＰＵ１５１は、搬送ローラ対１０２をシートＳに当接させ、搬送ローラ対１０２でシートＳを挟持する（ステップＳ１１２）。
【００４３】
次いで、ＣＰＵ１５１は、搬送ローラ対１０２をシートＳに当接させてから所定時間Ｔ４が経過するのを待ち（ステップＳ１１３）、その後、第１のレジストローラ対１０５及び搬送ローラ対１０２の駆動を停止させる（ステップＳ１１４）。所定時間Ｔ４は、第１のレジストローラ対１０５及び搬送ローラ対１０２によって搬送されるシートＳの搬送方向に沿った長さの中央部を、スジ付け部６００におけるスジ付け用突起部６０１の位置まで搬送して位置合わせするのに必要な時間である。
【００４４】
次いで、ＣＰＵ１５１は、レジストローラ１０５の駆動を停止させて（ステップＳ１１４）から所定時間Ｔβが経過するのを待つ（ステップＳ１１５）。所定時間Ｔβは、シートＳの搬送方向に沿った長さの中央部を、スジ付け部６００におけるスジ付け部材６０１に位置合わせした後、スジ付け部６００のスジ付け用突起部６０１を駆動させるまでに必要な時間である。次いで、ＣＰＵ１５１は、搬送ローラ対１０２及び第１のレジストローラ１０５をシートＳに当接させた状態で、スジ付け部６００のスジ付け用モータ４０６の駆動を開始してシートＳの中央部にスジ目を形成する（ステップＳ１１６）(図５（ｄ）)。
【００４５】
図６は、図５におけるスジ付け部６００の作用を説明するための図である。図６において、スジ付け部６００は、主にスジ付け用突起部６０１、突起受け部６０２及びスジ付け用突起部６０１を駆動する偏心カム６０３とから構成されている。このような構成のスジ付け部６００において、図示省略したスジ付けモータ６０４（図３参照）を駆動させることによって偏心カム６０３が図６中、矢印Ａ方向に回転する。偏心カム６０３の回動によって、スジ付け用突起部６０１が搬送パス１０３方向に押圧されて待機位置(ａ)からスジ付け位置(ｂ)まで移動して突起受け部６０２の挿入溝に嵌合し、これによって、シートＳにスジ目が形成される。
【００４６】
スジ付け処理の終了後、偏心カム６０３がさらに回転することによって、偏心カム６０３によるスジ付け用突起部６０１に対する押圧力がなくなり、スジ付け用突起部６０１は搬送パス１０３から離脱して待機位置(ａ)まで戻り、次のスジ付け処理動作に備える。なお、スジ付け部６００によるスジ付け処理の要否は、ユーザが、画像形成装置５００の操作部２０５を操作することによって設定される。
【００４７】
図４Ａ及び図４Ｂに戻り、シートＳの搬送方向に沿った長さの中央部にスジ目を形成した（ステップＳ１１６）後、ＣＰＵ１５１は、スジ付けモータ６０４の駆動を停止し（ステップＳ１１７）、本処理を終了する。
【００４８】
一方、ステップＳ１０５の判別の結果、シートＳの搬送方向の長さが所定長さ（２９７ｍｍ）より長い(ステップＳ１０５で「ＮＯ」の)場合、ＣＰＵ１５１は、第２のレジストローラ対１０６を斜行補正用のローラ対として用いる。すなわち、ＣＰＵ１５１は、第１のレジストローラ対１０５の駆動を維持したまま第２のレジストローラ対１０６の駆動を停止させる（ステップＳ１２０）。
【００４９】
図７は、シート長さが長いシートにスジ付けを行うスジ付け処理工程を示す図である。このスジ付け処理は、搬送方向に沿ったシート長さが、例えばＡ４Ｒサイズ（２９７ｍｍ）よりも長いシートに適用されるものであり、この場合、シートＳとして、例えばＡ３Ｒサイズのシートが適用される。
【００５０】
図７において、シートＳの搬送パス１０３には、図５と同様、シートＳの搬送方向に沿って順次パスセンサ１０１、搬送ローラ対１０２、スジ付け部６００、第１のレジストローラ対１０５及び第２のレジストローラ対１０６が配置されている。第１のレジストローラ対１０５には離間機構が設けられており、搬送中のシートＳに対して当接又は離間動作が可能に構成されている。
【００５１】
相対的に長いシートに対して、短いシートのように第１のレジストローラ対１０５で斜行補正処理を実行した場合、補正後のシートＳの中央部をスジ付け部６００のスジ付け用突起６０１に位置合わせするまでの搬送距離は、短いシートの場合よりも長くなる。従って、所定長さよりも長いシートに対しては、斜行補正用のレジストローラ対として、第１のレジストローラ対１０５よりも下流側の第２のレジストローラ対１０６を適用し、これによって斜行補正後の位置合わせにおけるシートＳの搬送距離を短く抑えている。なお、シートＳの搬送速度は既知である。このため、パスセンサ１０１によってシートＳの先端部を検知してからの時間を計測することによってシートＳの搬送距離、搬送位置を算出することができる。
【００５２】
以下、図７(ａ)〜（ｄ）を参照しつつ図４Ａ及び図４Ｂのフローチャートの続きを説明する。
【００５３】
図４Ａ及び図４Ｂに戻り、シートＳの搬送中に、ＣＰＵ１５１が、第２のレジストローラ対１０６の駆動を停止させると(ステップＳ１２０)、シートＳの先端部は、駆動停止した第２のレジストローラ対１０６のニップ部に当接する。これによって、シートＳは撓み、その先端辺が第２レジストローラ対１０６の軸方向と平行になる（図７(ａ)）。次いで、ＣＰＵ１５１は、第２のレジストローラ対１０６の駆動を停止させてから所定時間Ｔ５が経過するのを待つ（ステップＳ１２１）。所定時間Ｔ５は、第２のレジストローラ対１０６のニップ部に先端部を当接させたシートＳが撓むのに必要な時間である。
【００５４】
所定時間Ｔ５が経過した後、ＣＰＵ１５１は、第２のレジストローラ対１０６の駆動を再開する（ステップＳ１２２）。これによって、シートＳの先端辺が第２のレジストローラ対１０６に挟持されて搬送されるので、第２のレジストローラ対１０６部分におけるシートＳの斜行が補正される（図７（ｂ））。
【００５５】
第２のレジストローラ対１０６の駆動を再開させた後、ＣＰＵ１５１は、第２のレジストローラ対１０６の駆動を再開させてから所定時間Ｔ６が経過するのを待つ（ステップＳ１２３）。所定時間Ｔ６は、駆動を再開した第２のレジストローラ対１０６がシートＳの先端辺を挟持し、第２のレジストローラ対１０６部分におけるシートＳの斜行を補正するために必要な時間である。次いで、ＣＰＵ１５１は、第１のレジストローラ対１０５及び搬送ローラ対１０２を離間させ（ステップＳ１２４）、これによって、シートＳ全体の斜行補正を完了させる(図７（ｃ）)。尚、第１のレジストローラ対１０５を離間させるタイミングは、搬送ローラ対１０２を離間させるタイミングとずれていてもよい。
【００５６】
次いで、ＣＰＵ１５１は、第１のレジストローラ対１０５及び搬送ローラ対１０２を離間させてから所定時間Ｔ７が経過するのを待つ（ステップＳ１２５）。所定時間Ｔ７は、第１のレジストローラ対１０５及び搬送ローラ対１０２を離間させた後、シートＳ全体の斜行補正が完了するまでに必要な時間である。次いで、ＣＰＵ１５１は、第１のレジストローラ対１０５及び搬送ローラ対１０２をシートＳに当接させ、該第１のレジストローラ対１０５及び搬送ローラ対１０２でシートＳを挟持する（ステップＳ１２６）。
【００５７】
次いで、ＣＰＵ１５１は、ステップＳ１２６から所定時間Ｔ８が経過するのを待ち（ステップＳ１２７）、その後、第１及び第２のレジストローラ対１０５、１０６と搬送ローラ対１０２の駆動を停止させる(ステップＳ１２８)。これによって、シートＳは、該シートＳの搬送方向の長さの中央部がスジ付け用突起部６０１の位置に一致する位置で停止する。所定時間Ｔ８は、第１及び第２のレジストローラ対１０５、１０６等の駆動によって搬送されるシートＳの搬送方向に沿った長さの中央部を、スジ付け部６００におけるスジ付け用突起部６０１に位置合わせするのに必要な時間である。
【００５８】
次いで、ＣＰＵ１５１は、処理をステップＳ１１５に進め、搬送ローラ対１０２、第１及び第２のレジストローラ対１０５、１０６をシートＳに当接した状態で、上記と同様にして一連のスジ付け処理を実行し、シートＳの中央部にスジ目を形成する(図７（ｄ）)。このとき、第１及び第２のレジストローラ対１０５及び１０６は、シートＳを搬送方向上流側へ搬送する向きにわずかに駆動する。シートＳの搬送方向の中央部にスジ目を形成した後、ＣＰＵ１５１は、スジ付けモータ６０４の駆動を停止し（ステップＳ１１７）、本処理を終了する。
【００５９】
なお、ステップＳ１０１の判別の結果、シートサイズの入力がなされていない(ステップＳ１０１で「ＮＯ」の)場合、ＣＰＵ１５１は、操作部２０５に、ユーザに対してシートサイズの入力を催促するための表示を行う（ステップＳ１１８）。その後、ＣＰＵ１５１は、ユーザによるシートサイズの入力があるまで待機する（ステップＳ１０１）。ユーザによってシートサイズが入力されると、入力データは取得手段として機能するＣＰＵ回路部２１５又はシート処理装置制御部１５０に取得される。なお、ＣＰＵ回路部２１５及びシート処理装置制御部１５０は、シートＳのシートサイズをホストコンピュータ３００から受信することもできる。
【００６０】
図４Ａ及び図４Ｂの処理によれば、シートＳを搬送する搬送パス１０３に、シートＳの搬送方向に離間して２つのレジストローラ対を配置し、スジ付け処理を施すシートＳの搬送方向の長さによって斜行補正時に使用するレジストローラ対を使い分ける。すなわち、搬送方向の長さが長いシートほど、下流側のレジストローラ対を斜行補正用ローラ対として適用する。これによって、搬送方向の長さが長いシートであっても短いシートと同様に、斜行補正後、スジ付け部６００との位置合わせのために搬送するシートＳの搬送距離を短くして、斜行補正後のシートＳの再斜行を防止することができる。従って、シートＳの搬送方向の中央部に斜行のないスジ目又は折り目を付けることができ、もって、最終成果物の品位を向上させることができる。
【００６１】
本実施の形態において、第１及び第のレジストローラ対１０５及び１０６のいずれを斜行補正用のローラ対として適用するかは、シートＳの搬送方向の長さ、レジストローラ対１０５及び１０６と搬送ローラ対１０２との配置間隔等に基づいて決定される。図８に、その一例を示す。
【００６２】
図８は、シートサイズと、斜行補正に用いられるレジストローラ対との関係を示す図である。図８において、シートサイズが、Ｂ５Ｒ、Ａ４Ｒのときは、斜行補正用のローラとして第１のレジストローラ対１０５が適用される。一方、シートサイズが、Ｂ４Ｒ、Ａ３Ｒのときは、斜行補正用のローラ対として第２のレジストローラ対１０６が適用される。
【００６３】
なお、本実施の形態では定形サイズのシートについてのみ説明したが、不定形サイズのシートにおいても搬送方向のシート長さに応じてレジストローラ対を使い分けることができる。その場合、ユーザが、操作部２０５からシートの縦横の長さを入力し、シートの搬送方向に対する長さが所定の長さよりも長い場合は第２のレジストローラ対１０６で斜行補正を行い、所定の長さ以下の場合は第１のレジストローラ対１０５で斜行補正を行う。
【００６４】
本実施の形態において、シートＳの斜行補正に適用できるレジストローラ対を２つとしたが、３つ又はそれ以上とし、シートＳの搬送方向の長さに応じてより細く対応することもできる。
【００６５】
また、本実施の形態において、スジ付けする箇所を１つとしたが、２箇所にスジ付けする構成にも本発明を適用できる。
【符号の説明】
【００６６】
１００  シート処理装置
１０１  パスセンサ
１０２  搬送ローラ
１０３  搬送パス
１０４  横レジ検出センサ
１０５  第１のレジストローラ対
１０６  第２のレジストローラ対
２００  複写機本体
５００  画像形成装置
６００  スジ付け手段
６０１  スジ付け用突起部
６０２  突起受け部
６０３  偏心カム
６０４  スジ付けモータ
【図１】
2015143145.tif 000003
【図２】
2015143145.tif 000004
【図３】
2015143145.tif 000005
【図４Ａ】
2015143145.tif 000006
【図４Ｂ】
2015143145.tif 000007
【図５】
2015143145.tif 000008
【図６】
2015143145.tif 000009
【図７】
2015143145.tif 000010
【図８】
2015143145.tif 000011